(57)【要約】      （修正有）【課題】カバー部材にボルト孔を穿設する等して、カバー部材とベース部材とを直接固定することなく、またシーリング剤での封止処理を必要とせず内部が密閉される埋設型道路鋲を提供する。【解決手段】上面カバー２の周縁部２１が上面カバー固定部材３と本体ケース１とで挟持されてなされており、上面カバー２及び本体ケース１にボルト孔を穿設して上面カバー２と本体ケース１を直接固定することがないため、集中応力による上面カバー２のクラック発生を防止することができる【選択図】        図１
2006028975.tif 000002
【特許請求の範囲】
【請求項１】
再帰性反射体または自発光体を内蔵し底部の周囲に外周壁が形成され上部が開口された本体ケースと、該本体ケースの開口を塞ぐ透光性の上面カバーと、該上面カバーを本体ケースに固定する上面カバー固定部材とからなる埋設型道路鋲であって、前記上面カバーの周縁部は上面カバー固定部材と本体ケースとで挟持され、上面カバーと本体ケースで形成される中空部が外部から密閉されるようになされたことを特徴とする埋設型道路鋲。
【請求項２】
前記上面カバーの周縁部下端と本体ケースの外周壁上端との間に第１のパッキン材が挿入されてなされたことを特徴とする請求項１に記載の埋設型道路鋲。
【請求項３】
前記上面カバーの周縁部上端と上面カバー固定部材との間に第２のパッキン材が挿入されてなされたことを特徴とする請求項１または２に記載の埋設型道路鋲。
【請求項４】
前記外周壁上部には突出された鍔状の取着部が設けられ、該取着部の上端は前記外周壁上端より下方に設けられているようになされたことを特徴とする請求項１〜３のいずれか一項に記載の埋設型道路鋲。
【発明の詳細な説明】
【技術分野】
【０００１】
本発明は、歩道や路側帯等道路の側縁若しくはセンターライン若しくは交差点等に埋設され、道路利用者の視線を誘導する埋設型道路鋲に関するものである。
【背景技術】
【０００２】
埋設型道路鋲については種々の発明がなされてきており、例えば特許文献１には、地中に埋設されるベース部材と、路面上に表面を露出してベース部材を覆うカバー部材と、該カバー部材内部に設けられた凹部に装着された光源とを備えた発光式道路鋲において、ポリカーボネート等合成樹脂製の透光性を有するカバー部材の縁部にボルト孔を穿設し、地中に埋設される金属製のベース部材にも前記ボルト孔に対応するボルト孔を穿設し、これらボルト孔に螺入したボルトによって、カバー部材をベース部材に直接固定するようになされた埋設型道路鋲が開示されている。
【０００３】
【特許文献１】特開平８−１８９０１６号公報
【発明の開示】
【発明が解決しようとする課題】
【０００４】
しかしながら、特許文献１に記載の道路鋲では、ポリカーボネート等合成樹脂製の透光性を有するカバー部材は金属に比べ応力に弱く、前記の如く、ボルトによってこのカバー部材をベース部材に直接固定すると、車両等の走行時の衝撃によってカバー部材に穿設されたボルト孔の部分に過度の集中応力がかかり、若しくは経年変化による合成樹脂の劣化や設置環境雰囲気温度の変化による合成樹脂の膨張収縮により、カバー部材のボルト孔部にクラックが発生し、そこから道路鋲内部に浸水すると言った問題があった。かかる問題を解決するため、カバー部材をベース部材に固定した後、ボルト孔部をシーリング剤で封止する方法が用いられる。かかる方法では、ボルト孔部を封止するシーリング剤によって、クラックの発生を防止でき、また仮にクラックが発生しても、シーリング剤によって、道路鋲内部への浸水を阻止することができる。しかしながら、かかる封止処理を行うには時間を要し、更には封止処理後の養生にもかなりの時間を要していた。
【０００５】
本発明は上記の如き課題を解決するためになされたものであり、カバー部材にボルト孔を穿設する等して、カバー部材とベース部材とを直接固定することなく、またシーリング剤での封止処理を必要とせず内部が密閉される埋設型道路鋲を提供せんとするものである。
【課題を解決するための手段】
【０００６】
上記目的を達成するため、本発明は以下のような構成としている。
すなわち、本発明に係わる埋設型道路鋲は、再帰性反射体または自発光体を内蔵し底部の周囲に外周壁が形成され上部が開口された本体ケースと、該本体ケースの開口を塞ぐ透光性の上面カバーと、該上面カバーを本体ケースに固定する上面カバー固定部材とからなる埋設型道路鋲であって、前記上面カバーの周縁部は上面カバー固定部材と本体ケースとで挟持され、上面カバーと本体ケースで形成される中空部が外部から密閉されるようになされたことを特徴とするものである。
【発明の効果】
【０００７】
本発明に係わる埋設型道路鋲によれば、上面カバーの周縁部が上面カバー固定部材と本体ケースとで挟持されてなされており、上面カバー及び本体ケースにボルト孔を穿設して上面カバーと本体ケースを直接固定することがないため、集中応力による上面カバーのクラック発生を防止することができる。
【０００８】
また、前記上面カバーの周縁部下端と本体ケースの外周壁上端との間に第１のパッキン材を挿入するようにすれば、本体ケース内への水や塵埃の進入を防ぐことができ、中空部を外部から密閉することができる。
【０００９】
また、前記上面カバーの周縁部上端と上面カバー固定部材との間に第２のパッキン材を挿入するようにすれば、前述した上面カバーの周縁部下端と本体ケースとの間に挿入された第１のパッキン材による防水効果及び塵埃の進入防止効果と相まって、更なる防水及び塵埃進入防止の効果を付与することができる。
【００１０】
さらに、前記外周壁上部に突出された鍔状の取着部上端を外周壁上端より下方に設けるようにすれば、埋設型道路鋲の上面から侵入した水は、外周壁上端より低く位置する取着部上端に向けて流れて行き、埋設型道路鋲の内部に流入し難く、防水を容易になすことができ好ましい。
【発明を実施するための最良の形態】
【００１１】
本発明に係わる最良の実施の形態について、図面に基づき以下に具体的に説明する。
図１は本発明に係わる埋設型道路鋲の、実施の一形態を示すもので、イ）は平面図、ロ）はイ）のＡ−Ａ断面図である。
１は、底部の周囲に外周壁１１が形成されて上部が開口された本体ケースであって、外周壁１１上部には鍔状の取着部１２が突出されると共に、取着部１２には６個のボルト孔が等間隔に穿設されている。尚、前記外周壁１１上端は取着部１２上端よりも上方に設けられてなされている。２は前記本体ケース１の上部に設けられた上面カバー２であって、その周縁部２１が前記外周壁１１の上端に載置されて、本体ケース１の開口を塞ぐように設けられている。３は上面カバー固定部材であって、周囲が上部の押さえ部３１と周囲の取付部３２とからなる断面逆Ｌ状のリング体からなり、上面カバー２に外嵌されると共に、本体ケース１の取着部１２に穿設されたボルト孔に対応するボルト孔が取付部３２の下端に螺刻され、本体ケース１の下方よりボルト４を両ボルト孔に挿入螺着することで、本体ケース１に上面カバー固定部材３が取り付けられ、上面カバー２の周縁部２１が上面カバー固定部材３の押さえ部３１と本体ケース１の外周壁１１の上端との間に挟持されて固定される。この時、本体ケース１の外周壁１１の外側面上端と上面カバー２の外周側面とは、上面カバー固定部材３の内周側面に当接されてなされた状態となる。
【００１２】
尚、上面カバー２の周縁部２１が上面カバー固定部材３と本体ケース１との間に固定された状態で、上面カバー２の上面２２と上面カバー固定部材３の押さえ部３１の上面とは面一とされ、且つ路面に埋設される際は、前記押さえ部３１上面は路面に面一に埋設される。
【００１３】
また、本体ケース１の外周壁１１上端及び上面カバー２の周縁部２１には各々全周にわたり溝部が形成され、該溝部には第１のパッキン材５と第２のパッキン材６が挿入されている。
【００１４】
７は発光ユニットであって、自発光体７１、回路基板７２、それらを結ぶ結線（図示せず）等から構成されており、電源としての蓄電装置８や太陽光により発電する太陽電池９等と共に、本体ケース１と上面カバー２により形成される中空部１０１に収納されている。
【００１５】
第１のパッキン材５及び第２のパッキン材６は、ボルト４を螺着することで、本体ケース１の外周壁１１上端と上面カバー２の周縁部２１下端と固定部材３の押さえ部３１下端に押し付けられ、雨水等の水や塵埃等の中空部１０１への侵入を確実に防止することができる。また、シーリング剤等を用いて封止処理し、水や塵埃等の侵入を防止する必要がないため、封止処理にかかる時間と費用を無くすことができる。
【００１６】
また前述の如く、外周壁１１上端は取着部１２上端よりも上方に設けられてなされているため、仮に埋設型道路鋲１０の上方から水が侵入したとしても、外周壁１１上端よりも低い位置にある取着部１２上端に向かって流れていくため、中空部１０１への防水は比較的容易になすことができる。
【００１７】
第１のパッキン材５及び第２のパッキン材６は水に対しての耐性が高いものであれば特に限定されるものではないが、ボルト４を締め付けることにより変形及び反発力を生じる弾性体を用いて形成したものであれば、本体ケース１と上面カバー２と固定部材３との間の微細な隙間を塞ぐことができるため、長期間わたって発光ユニット７や蓄電装置８等を保護でき好ましい。したがって、例えば、天然ゴムやブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニール樹脂、エラストマー等の各種合成ゴムや合成樹脂等からなる弾性材やそれらを発泡させたもの等を用いてよい。
【００１８】
自発光体７１は、発光ダイオードの他、ハロゲンランプ、メタルハライドランプ、陰極管、エレクトロルミネッセンス、キセノンランプ等が適宜使用される。また、電源としては、電源としては、蓄電装置８にリチウム電池等の電池を用いる場合は他の電源装置を用いる必要はないが、蓄電装置８に鉛蓄電池や電気二重層コンデンサ等の充電装置を用いる場合は、これに充電する電源として、商用電源や通常使用される太陽電池９等が使用される。太陽電池９を使用する場合は、太陽電池９を透光性を有する上面カバー２の下方に配置し、上面カバー２を透過した太陽光によって発電した太陽電池９の電力が蓄電装置８に充電されるようにすればよいが、特に限定されるものではなく、太陽電池９を本道路鋲とは別に設置するようにしてもよい。
【００１９】
本体ケース１は、アルミニウム合金や亜鉛等、金属材料のダイキャスト品や鋳造品等を用いてもよいが、金属材料のダイキャスト品や鋳造品等は、本体ケース１の上部を平坦に加工する後加工にかかる費用が大きいため、ポリカーボネート樹脂や変性ポリフェニレンエーテル樹脂、ポリアセタール樹脂、ポリブチレンテレフタラート樹脂、ナイロン樹脂等、合成樹脂材料を射出成形にて形成するのが好ましい。かかる形成をすることにより、平坦に加工する費用を無くすことができる。更には、前記合成樹脂材料にガラス繊維を混合して、強度向上を図ってもよい。中でも、ポリカーボネート樹脂よりも吸水性は低く線膨張係数はほぼ等しい変性ポリフェニレンエーテル樹脂に、ガラス繊維を混合して成形するのがよい。かかる材料を用いることで、本体ケース自体の吸水を低減できるだけでなく、上面カバー２をポリカーボネート樹脂で形成した場合には、本体ケース１と上面カバー２の線膨張係数がほぼ等しくなるため、雰囲気温度の変化により本体ケース１と上面カバー２が伸縮した時、両者がほぼ同じ長さで伸縮するため、本体ケース１と上面カバー２の間に生じるズレをほぼ無くすことができ、中空部１０１の気密性を保つために好ましい。
【００２０】
上面カバー２は、透光性を有するものであれば特に限定されるものではないが、車両等に乗り上げられる場所に設置されることから衝撃に強いポリカーボネート樹脂が好適に用いられ、他にアクリル樹脂等も用いることができる。
【００２１】
上面カバー固定部材３は、等間隔に設けられたボルト孔に螺着するボルト４により、上面カバー２の周縁部２１を上面カバー固定部材３と本体ケース１とで挟持させるものであるため、剛性を有するものが好適に用いられ、アルミニウム合金や亜鉛等、金属材料をダイキャストや鋳造により形成するのが好ましい。
【図面の簡単な説明】
【００２２】
【図１】本発明に係わる埋設型道路鋲の、実施の一形態を示す説明図である。
【符号の説明】
【００２３】
１    本体ケース
１０１中空部
１１  外周壁
１２  取着部
２    上面カバー
２１  周縁部
２２  上面
３    上面カバー固定部材
３１  押さえ部
３２  取付部
４    ボルト
５    第１のパッキン材
６    第２のパッキン材
７    発光ユニット
７１  自発光体
７２  回路基板
８    蓄電装置
９    太陽電池
１０  視線誘導標
【図１】
2006028975.tif 000003